(57)【要約】【課題】建物の窓に設置されているカーテンを揺らし、それに連動して音を発生させることにより、建物に人や番犬などが在室しているように錯覚させて、空き巣などの侵入を未然に防止することを目的とする。【解決手段】系統電源から独立して電力を供給する電力供給手段１と前記電力供給手段１の電力でカーテン２を揺らす動作手段３と前記動作手段３の動きに連動して前記電力供給手段１の電力で音を出す音発生手段４とカーテン２への取り付けのための固定手段５とを備え、建物の窓に設置されているカーテン２を揺らし、それに連動して音を発生させることにより、建物に人や番犬などが在室しているように錯覚させて、空き巣の被害を未然に防止する防犯装置が得られる。【選択図】図１
2006065553.tif 000002
【特許請求の範囲】
【請求項１】
系統電源から独立して電力を供給する電力供給手段と前記電力供給手段の電力でカーテンを揺らす動作手段と前記動作手段の動きに連動して前記電力供給手段の電力で音を出す音発生手段とカーテンへの取り付けのための固定手段とを備え、建物に在室しているように錯覚させる防犯装置。
【請求項２】
電力供給手段と動作手段および音発生手段との間に電力変換手段を設けた請求項１記載の防犯装置。
【請求項３】
動作手段と音発生手段を決められた時間により動かす時計手段を設けた請求項１あるいは２に記載の防犯装置。
【請求項４】
動作手段に振動モーターを用いた請求項１、２あるいは３に記載の防犯装置。
【請求項５】
電力供給手段に太陽電池を用いた請求項１、２、３あるいは４に記載の防犯装置。
【請求項６】
電力供給手段に乾電池を用いた請求項１、２、３あるいは４に記載の防犯装置。
【請求項７】
電力供給手段に太陽電池と乾電池を併用した請求項１、２、３、４記載の防犯装置。
【請求項８】
電力供給手段に太陽電池と蓄電池を併用した請求項１、２、３あるいは４に記載の防犯装置。
【請求項９】
音発生手段の音に犬の鳴き声を利用した請求項１、２、３、４、５、６、７あるいは８記載の防犯装置。
【請求項１０】
音発生手段の音に音声を用いた請求項１、２、３、４、５、６、７、８記載の防犯装置。
【請求項１１】
カーテンを挟んで固定する固定手段を用いた請求項１、２、３、４、５、６、７、８、９あるいは１０に記載の防犯装置。
【請求項１２】
カーテンの表面に固定する固定手段を用いた請求項１、２、３、４、５、６、７、８、９あるいは１０に記載の防犯装置。
【発明の詳細な説明】
【技術分野】
【０００１】
本発明は、太陽電池や乾電池などの系統電源から独立した電源を利用して、建物の窓に設置されているカーテンを揺らし、さらに、カーテンの動きに連動して音を出すことで建物に人や番犬が在室しているように錯覚させて防犯を行なう防犯装置に関する。
【背景技術】
【０００２】
近年、住宅あるいはマンションなどを狙った空き巣などの犯罪が急増しており、昼間のちょっとした外出の間であっても空き巣の被害を受けやすい環境にある。このことから防犯に関する意識が高まっており、昼間のちょっとした外出時においても空き巣の侵入を未然に防止できる簡単で手軽な防犯装置の供給が求められている。
【０００３】
しかしながら、部屋に人が侵入したことを検知してブザーなどによって侵入者を威嚇して空き巣などの被害を防止する手軽な防犯装置は世の中に数多く存在する。しかし、建物に人や番犬が在室しているように錯覚させて、空き巣の侵入を未然に防止する簡単で手軽な防犯装置は発明されていない（例えば、特許文献１参照）。
【０００４】
以下、その防犯装置について図７を参照しながら説明する。
【０００５】
図７に示すように、空気排気装置１０１と、排気風路１０４に設けられた薄板１０２の位置変動により、これと電気的接点１０３とが接触することで不法侵入者の存在を検知する検知手段と、検知信号を警備会社へ連絡する通報手段とを備え、不法侵入により窓ガラスやドアを破壊あるいは開閉された時に、外部の空気を室内へ急激に吸引すると、排気風路１０４に設けられた薄板１０２の位置が変動して電気的接点と接触することで検知し、その存在を警備会社に通報する。また、警報音を発生させることにより、不法侵入者を威嚇するものである（例えば、特許文献２参照）。
【０００６】
以下、その防犯装置について図８を参照しながら説明する。
【０００７】
図８に示すように、メインコントローラ１１１とカーテンに人影を投影するプロジェクタ１１２とカーテンの窓の開閉を制御するコントローラ１１３とカーテンの開閉をするカーテン開閉駆動装置１１４とを備え、メインコントローラ１１１の命令に従ってプロジェクタ１１２によりカーテンに人影を投影し、朝夕にコントローラ１１３を通じてカーテン開閉駆動装置１１４を駆動してカーテン１１５を開閉することで、建物に人が在室しているかのように錯覚させて空き巣などの侵入を未然に防ぐものである。
【特許文献１】特開平１１−２５０３５９号公報
【特許文献２】特開平１１−１３４５６９号公報
【発明の開示】
【発明が解決しようとする課題】
【０００８】
このような従来の機器では、建物に人が侵入したことを検知して侵入者を威嚇し、外部に通報する機器であり、空き巣の被害が無かったとしても窓ガラスの破損や空き巣に狙われたという精神的な苦痛が生じる。
【０００９】
また、このような従来の機器では、建物に人が在室しているように錯覚させるために専用の制御装置やプロジェクタなどの高価な機器や複雑な制御方法を用いているため、取り扱いが難しく、また、使用機器も多いことから使用する電力も多くなるため、系統電源から独立した電源のみで動作することが難しい機器となっている。
【００１０】
本発明は、このような従来の課題を解決するものであり、建物の窓に一緒に設置されているカーテンに機器を設置してカーテンを揺らし、それに連動して音を発生することにより、建物に人や番犬が在室しているように錯覚させて人の侵入を未然に防止し、系統電源から独立した電源を利用した低電力で簡単かつ低コストな機器を提供することができる。
【課題を解決するための手段】
【００１１】
本発明は上記目的を達成するために、系統電源から独立して電力を供給する電力供給手段と前記電力供給手段の電力でカーテンを揺らす動作手段と前記動作手段の動きに連動して前記電力供給手段の電力で音を出す音発生手段とカーテンへの取り付けのための固定手段とを備えた構成としたものである。
【００１２】
この手段により、建物の窓に設置されているカーテンを揺らし、それに連動して音を出すという簡単な方法で、建物に在室しているように錯覚させて空き巣の侵入を未然に防止する防犯装置が得られる。
【００１３】
さらに、電力供給手段と動作手段および音発生手段との間に電力変換手段を設けた構成としたものである。
【００１４】
この手段により、電力供給手段の供給する電力と動作手段に必要な電力の種類が異なっていても、動作手段および音発生手段に必要な電力に変換して供給が可能となるため、自然エネルギーなどの系統電源から独立した様々な電力を利用することが可能となる防犯装置が得られる。
【００１５】
さらに、動作手段と音発生手段を決められた時間により動かす時計手段を設けた構成としたものである。
【００１６】
この手段により、決められた時間もしくは一定時間の間隔でカーテンを揺らして、それに連動して音を発生させて、建物に在室しているように錯覚させて空き巣の侵入を未然に防止する防犯装置が得られる。
【００１７】
さらに、動作手段に振動モーターを用いた構成としたものである。
【００１８】
この手段により、振動によりカーテンを揺らすという簡単な方法で建物に在室しているように錯覚させて空き巣の侵入を未然に防止する防犯装置が得られる。
【００１９】
さらに、電力供給手段に太陽電池を用いた構成としたものである。
【００２０】
この手段により、自然エネルギーである太陽光を利用することで系統電源から独立した防犯装置が得られる。
【００２１】
さらに、電力供給手段に乾電池を用いた構成としたものである。
【００２２】
この手段により、一定期間安定した電力を供給できる乾電池を利用することで系統電源から独立した防犯装置が得られる。
【００２３】
さらに、電力供給手段に太陽電池と乾電池を併用した構成としたものである。
【００２４】
この手段により、自然エネルギーである太陽光を利用することで、乾電池を長寿命で使用することができ、不安定な太陽光エネルギーによる電力供給を安定させて利用が可能となることで系統電源から独立した防犯装置が得られる。
【００２５】
さらに、電力供給手段に太陽電池と蓄電池を併用した構成としたものである。
【００２６】
この手段により、不安定な太陽光エネルギーの余剰発電電力を蓄えることが可能となり、太陽光エネルギーによる発電電力を有効かつ安定して利用することで系統電源から独立した防犯装置が得られる。
【００２７】
さらに、音発生手段の音に犬の鳴き声を利用した構成としたのものである。
【００２８】
この手段により、建物に番犬が在室しているように錯覚させて空き巣の侵入を未然に防止する防犯装置を得ることができる。
【００２９】
さらに、音発生手段の音に音声を用いた構成としたものである。
【００３０】
この手段により、建物に人が在室しているように錯覚させて空き巣の侵入を未然に防止する防犯装置を得ることができる。
【００３１】
さらに、カーテンを挟んで固定する固定手段を用いた構成としたものである。
【００３２】
この手段により、カーテンを挟んで取り付けるというような簡単な方法で設置できる防犯装置を得ることができる。
【００３３】
さらに、カーテンの表面に固定する固定手段を用いた構成としたものである。
【００３４】
この手段により、カーテンに目立った変形を与えることなく簡単に設置することができる防犯装置を得ることができる。
【発明の効果】
【００３５】
本発明によれば、建物の窓に設置されているカーテンを揺らし、それに連動して音を出すという簡単な方法で、建物に在室しているように錯覚させて空き巣の侵入を未然に防止する防犯装置を提供できる。
【００３６】
また、電力供給手段の供給する電力と動作手段に必要な電力の種類が異なっていても、動作手段および音発生手段に必要な電力に変換して供給が可能となるため、自然エネルギーなどの系統電源から独立した様々な電力を利用することが可能となる防犯装置を提供できる。
【００３７】
また、決められた時間もしくは一定時間の間隔でカーテンを揺らして、それに連動して音を発生させて、建物に在室しているように錯覚させて空き巣の侵入を未然に防止する防犯装置を提供できる。
【００３８】
また、振動によりカーテンを揺らすという簡単な方法で建物に在室しているように錯覚させて空き巣の侵入を未然に防止する防犯装置を提供できる。
【００３９】
また、自然エネルギーである太陽光を利用することで系統電源から独立した防犯装置を提供できる。
【００４０】
また、一定期間安定した電力を供給できる乾電池を利用することで系統電源から独立した防犯装置を提供できる。
【００４１】
また、自然エネルギーである太陽光を利用することで、乾電池を長寿命で使用することができ、不安定な太陽光エネルギーによる電力供給を安定させて利用が可能となることで系統電源から独立した防犯装置を提供できる。
【００４２】
また、不安定な太陽光エネルギーの余剰発電電力を蓄えることが可能となり、太陽光エネルギーによる発電電力を有効かつ安定して利用することで系統電源から独立した防犯装置を提供できる。
【００４３】
また、建物に番犬が在室しているように錯覚させて空き巣の侵入を未然に防止する防犯装置を提供できる。
【００４４】
また、建物に人が在室しているように錯覚させて空き巣の侵入を未然に防止する防犯装置を提供できる。
【００４５】
また、カーテンを挟んで取り付けるというような簡単な方法で設置できる防犯装置を提供できる。
【００４６】
また、カーテンに目立った変形を与えることなく簡単に設置することができる防犯装置を提供できる。
【発明を実施するための最良の形態】
【００４７】
本発明の請求項１記載の発明は、系統電源から独立して電力を供給する電力供給手段と前記電力供給手段の電力でカーテンを揺らす動作手段と前記動作手段の動きに連動して前記電力供給手段の電力で音を出す音発生手段とカーテンへの取り付けのための固定手段とを備え、建物の窓に設置されているカーテンを揺らし、それに連動して音を出すという簡単な方法で、建物に在室しているように錯覚させて空き巣の侵入を未然に防止する作用を有する。
【００４８】
また、電力供給手段と動作手段および音発生手段との間に電力変換手段を設けた構成とし、電力供給手段の供給する電力と動作手段に必要な電力の種類が異なっていても、動作手段および音発生手段に必要な電力に変換して供給が可能となるため、自然エネルギーなどの系統電源から独立した様々な電力を利用することが可能となるという作用を有する。
【００４９】
また、動作手段と音発生手段を決められた時間により動かす時計手段を設けた構成とし、決められた時間もしくは一定時間の間隔でカーテンを揺らして、それに連動して音を発生させて、建物に在室しているように錯覚させて空き巣の侵入を未然に防止する作用を有する。
【００５０】
また、動作手段に振動モーターを用いた構成とし、振動によりカーテンを揺らすという簡単な方法で建物に在室しているように錯覚させて空き巣の侵入を未然に防止する作用を有する。
【００５１】
また、電力供給手段に太陽電池を用いた構成とし、自然エネルギーである太陽光を利用することで系統電源から独立できるという作用を有する。
【００５２】
また、電力供給手段に乾電池を用いた構成とし、一定期間安定した電力を供給できる乾電池を利用することで系統電源から独立できるという作用を有する。
【００５３】
また、電力供給手段に太陽電池と乾電池を併用した構成とし、自然エネルギーである太陽光を利用することで、乾電池を長寿命で使用することができ、不安定な太陽光エネルギーによる電力供給を安定させて利用が可能となることで系統電源から独立できるという作用を有する。
【００５４】
また、電力供給手段に太陽電池と蓄電池を併用した構成とし、不安定な太陽光エネルギーの余剰発電電力を蓄えることが可能となり、太陽光エネルギーによる発電電力を有効かつ安定して利用することで系統電源から独立できるという作用を有する。
【００５５】
また、音発生手段の音に犬の鳴き声を用いた構成とし、建物に番犬が在室しているように錯覚させて空き巣の侵入を未然に防止する作用を有する。
【００５６】
また、音発生手段の音に音声を用いた構成とし、建物に人が在室しているように錯覚させて空き巣の侵入を未然に防止する作用を有する。
【００５７】
また、カーテンを挟んで固定する固定手段を用いた構成とし、カーテンを挟んで取り付けるというような簡単な方法で設置できるという作用を有する。
【００５８】
また、カーテンの表面に固定する固定手段を用いた構成とし、カーテンに目立った変形を与えることなく簡単に設置することができるという作用を有する。
【００５９】
以下、本発明の実施の形態について図面を参照しながら説明する。
【００６０】
（実施の形態１）
図１に示すように、本発明の防犯装置は、系統電源から独立して電力を供給する電力供給手段１と前記電力供給手段１の電力でカーテン２を揺らす動作手段３と前記動作手段３の動きに連動して前記電力供給手段１の電力で音を出す音発生手段４と前記カーテン２への取り付けのための固定手段５とを備えた構成としたものである。
【００６１】
上記のように構成した防犯装置は、建物の窓付近に設置されたカーテンに前記固定手段５により固定して、前記電力供給手段１からの電力で前記動作手段３によりカーテンを揺らし、その動きに連動して前記音発生手段４により音を出して、建物に在室しているかのように錯覚させて空き巣などの侵入を未然に防止するものである。
【００６２】
前記電力供給手段１に太陽電池を用いることで、自然エネルギーを利用して系統電源から独立してカーテンを揺らすことができる防犯装置が得られる。
【００６３】
また、前記電力供給手段１に乾電池を用いることで、系統電源から独立して一定期間安定した電力を供給でき、かつ低電力で動作することができる防犯装置が得られる。
【００６４】
また、前記電力供給手段１に太陽電池や乾電池を利用したが、他の自然エネルギーや小型の燃料電池など系統電源と独立して利用できる電源を利用するものであれば、電力の供給手段には限定されず、その作用効果に差異は生じない。
【００６５】
前記動作手段３に携帯電話で使用されているような振動モータを使用することで、低電力により前記カーテン２を揺らして、建物に人や番犬が在室していると錯覚させる防犯装置を得ることができる。ここでは振動モータを利用したが、例えば小型のファンなどを利用して前記カーテン２を揺らすことも可能であり、前記カーテン２を揺らすことを目的としたものであれば、機器の種類には限定されず、その作用効果に差異は生じない。
【００６６】
前記音発生手段４に犬の鳴き声を出力するブザーを用いることで、建物に番犬が在室しているように錯覚させる防犯装置が得られる。
【００６７】
また、前記音発生手段４に人の声を出力するブザーを用いることで、建物に人が在室しているように錯覚させる防犯装置が得られる。
【００６８】
また、前記音発生手段４に犬の鳴き声や人の声を利用したが、音により人の聴覚に作用して、建物に人や番犬が在室しているかのように錯覚させるものであれば、音の種類には限定されず、その作用効果に差異は生じない。
【００６９】
前記固定手段５にクリップを用いることで前記カーテン２を挟んで簡単に取り付けることができる防犯装置が得られる。
【００７０】
また、前記固定手段５に安全ピンやマジックテープ（登録商標）や磁石などを用いることで、前記カーテン２の表面へ簡単に取り付けることができる防犯装置が得られる。
【００７１】
また、前記固定手段５にクリップや安全ピンやマジックテープ（登録商標）や磁石を使用したが、前記カーテン２へ固定するものであれば、その作用効果に差異は生じない。
【００７２】
（実施の形態２）
実施の形態１と同一部分は同一番号を付し、詳細な説明は省略する。
【００７３】
図２に示すように、本発明の防犯装置は、電力供給手段１と動作手段３および音発生手段４との間に電力変換手段６を備えた構成とする。
【００７４】
上記のように構成した防犯装置は、前記電力供給手段１の供給する電力と前記動作手段３と前記音発生手段４に必要な電力の種類が異なっていても、例えば前記電力供給手段１の供給電圧と前記動作手段３と前記音発生手段４で必要とする電圧が異なっていても、前記電力変換手段６により、前記動作手段３および前記音発生手段４に適した電圧に変換して電力を供給することが可能となるため、自然エネルギーや小型の燃料電池などの系統電源から独立した様々な電力を利用することが可能となる。
【００７５】
前記電力変換手段６の構成例を図３に示す。図３に示すように、前記電力変換手段６はＤＣ／ＤＣコンバータ６Ａと双方向ＤＣ／ＤＣコンバータ６ＢとＤＣ／ＤＣコンバータ６Ｃとを備えた構成とする。
【００７６】
上記のように構成した防犯装置の動作について、図３を参照しながら説明する。前記電力供給手段１が２つあり、前記電力供給手段１の１つは太陽電池として前記ＤＣ／ＤＣコンバータ６Ａに入力し、もう１つの前記電力供給手段１は充放電可能な蓄電池として前記双方向ＤＣ／ＤＣコンバータ６Ｂに入力する場合を例として説明する。昼間、前記ＤＣ／ＤＣコンバータ６Ａは太陽電池から最大電力を取り出せるように動作し、太陽電池が十分に発電しているときは、前記動作手段３および前記音発生手段４に太陽電池の発電電力を供給する。太陽電池の発電電力が多くなり、前記ＤＣ／ＤＣコンバータ６Ａと前記双方向ＤＣ／ＤＣコンバータ６Ｂと前記ＤＣ／ＤＣコンバータ６Ｃとが結合している直流部の電圧が上昇したときは、太陽電池の余剰発電電力を前記双方向ＤＣ／ＤＣコンバータ６Ｂにより蓄電池へ充電する。また、太陽電池の発電電力が少なくなり、前記ＤＣ／ＤＣコンバータ６Ａと前記双方向ＤＣ／ＤＣコンバータ６Ｂと前記ＤＣ／ＤＣコンバータ６Ｃとが結合している直流部の電圧が低下したときは、前記双方向ＤＣ／ＤＣコンバータ６Ｂにより蓄電池から放電して前記動作手段３と前記音発生手段４の電力を補う。前記ＤＣ／ＤＣコンバータ６Ｃは、前記動作手段３と前記音発生手段４への供給電力が一定になるように動作する。また、前記双方向ＤＣ／ＤＣコンバータ６Ｂは、前記ＤＣ／ＤＣコンバータ６Ａと前記双方向ＤＣ／ＤＣコンバータ６Ｂと前記ＤＣ／ＤＣコンバータ６Ｃとが結合している直流部の電圧の変動をある一定の範囲に保つように蓄電池の充放電を行なう。これにより、不安定な太陽光エネルギーの余剰発電電力を蓄えることが可能となり、太陽光エネルギーによる発電電力を有効かつ安定して利用することで系統電源から独立した防犯装置を得ることができる。
【００７７】
さらに、前記ＤＣ／ＤＣコンバータ６Ａと前記双方向ＤＣ／ＤＣコンバータ６Ｂと前記ＤＣ／ＤＣコンバータ６Ｃについては、前記動作手段３と前記音発生手段４で必要となる電力に変換する場合の適切な組み合わせであれば、昇圧型や降圧型などの機能には限定されず、また、直流電力のみを取り上げたが、交流電力を用いる場合は、インバータを用いることも可能であり、電力を変換して使用する構成であれば、その効果に差異はない。
【００７８】
また、図には示していないが、前記電力供給手段１が１つであっても電力変換手段６の構成が少なくなるだけであり、さらに前記電力供給手段１が３つ以上になっても、前記ＤＣ／ＤＣコンバータ６Ａと前記双方向ＤＣ／ＤＣコンバータ６Ｂと前記ＤＣ／ＤＣコンバータ６Ｃとが結合している直流部に、増加した前記電力供給手段１の電力を前記直流部の直流電圧に変換して結合することが可能であり、電力を変換して使用する構成であれば、その効果に差異はない。
【００７９】
２つの前記電力供給手段１に太陽電池と乾電池を併用することで、自然エネルギーである太陽光を利用して乾電池を長寿命で使用することができ、不安定な太陽光エネルギーによる電力供給を安定させて利用が可能となることで系統電源から独立した防犯装置が得られる。
【００８０】
また、２つの前記電力供給手段１に太陽電池や蓄電池や乾電池を利用したが、他の自然エネルギーや小型の燃料電池など系統電源と独立して利用できる電力を利用するものであれば、電力の供給方法には限定されず、その作用効果に差異は生じない。
【００８１】
（実施の形態３）
実施の形態１と実施の形態２と同一部分は同一番号を付し、詳細な説明は省略する。
【００８２】
図４に示すように、本発明の防犯装置は、動作手段３を決められた時間により動かす時計手段７を備えた構成とする。
【００８３】
上記のように構成した防犯装置の動作について、図５と図６を参照しながら説明する。  
【００８４】
図５に示すように、７Ａにおいて一定時間経過したら７Ｂにおいて前記時計手段７がＯＮして、前記動作手段３と前記音発生手段４に電力を供給する。その後、７Ｃにおいて一定時間経過したら前記時計手段７がＯＦＦし、７Ａに戻って図５の動作を繰り返す。これにより、一定時間の間隔で動作する防犯装置が得られる。前記時計手段７としてタイマーリレーなどが考えられるが、一定時間の間隔でＯＮ／ＯＦＦを切り替えられるものであれば、その効果に差異はない。
【００８５】
また、図６に示すように、７Ｅにおいて前記時計手段７が指定された時刻になると、７Ｆにおいて前記時計手段７がＯＮし、前記動作手段３と前記音発生手段４に電力を供給する。その後、７Ｇにおいて一定時間もしくは指定された時刻になると、７Ｈにおいて前記時計手段７がＯＦＦし、７Ｅへ戻る。ここでは、前記時計手段７の動作開始時刻は７Ｅひとつしか設定していないが、７Ｅから７Ｈを数段繰り返すことにより、一日に動作する時刻や回数の変更が可能となる。これにより、人や犬などの生活リズムに合わせて動作する防犯装置が得られる。前記時計手段７には一日の時刻を特定して動作するタイマーリレーなどが考えられるが、生活リズムに合わせてＯＮ／ＯＦＦを切り替えられるものであれば、その効果に差異はない。
【産業上の利用可能性】
【００８６】
本発明の防犯装置は、系統電源から独立した電力を利用して、カーテンや布のような柔らかい素材の物を揺らしながら音を発生させて、人の視覚と聴覚に同時に訴えかけることのできる連絡装置にも適用できる。
【図面の簡単な説明】
【００８７】
【図１】本発明の実施の形態１の防犯装置の構成図
【図２】本発明の実施の形態２の防犯装置の構成図
【図３】本発明の実施の形態２の電力変換手段の構成図
【図４】本発明の実施の形態３の防犯装置の構成図
【図５】本発明の実施の形態３の時計手段の制御フローチャート（１）
【図６】本発明の実施の形態３の時計手段の制御フローチャート（２）
【図７】従来例１の実施の形態の構成図
【図８】従来例２の実施の形態の構成図
【符号の説明】
【００８８】
１  電力供給手段
２  カーテン
３  動作手段
４  音発生手段
５  固定手段
６  電力変換手段
７  時計手段
【図１】
2006065553.tif 000003
【図２】
2006065553.tif 000004
【図３】
2006065553.tif 000005
【図４】
2006065553.tif 000006
【図５】
2006065553.tif 000007
【図６】
2006065553.tif 000008
【図７】
2006065553.tif 000009
【図８】
2006065553.tif 000010